(57)【要約】【課題】簡単な構成でテンプルに弾性衝撃吸収による耐久性を付与することができ、しかも、装飾性にも優れた眼鏡の弾性テンプルを提供すること。【解決手段】ヒンジ部材１と耳鉉部材３との間に略同形で複数の装飾ブロック２・２…が数珠繋ぎに配置されている一方、弾性芯棒材４が前記ヒンジ部材１の通し孔１２および前記装飾ブロック２・２…の貫通孔２１・２１…および前記耳鉉部材３のアンカー孔３１に刺通してこれらの部材を一体化すると共に、これらの部材間に該当する、ヒンジ部材１の持出端面、および装飾ブロック２の対向側面、および耳鉉部材３の基端面には、テンプル折り畳み方向に摺接するナックル凸面５１および凹受面５２とから成る関節部５を形成するという技術的手段を採用した。【選択図】  図３
2004252026.tif 000002
【特許請求の範囲】
【請求項１】
眼鏡フロントの左右両側に配設されたエンドピースＥの持出端部の枢軸Ｓに折り畳み自在にヒンジ連結されるテンプルであって、
前記枢軸Ｓに連結されるヒンジ部１１を備え、かつ、通し孔１２が開設されたヒンジ部材１と；貫通孔２１が形成された装飾ブロック２と；基端側にアンカー孔３１が開設された耳鉉部材３と；弾性芯棒材４とを具備して構成されており、
前記ヒンジ部材１と耳鉉部材３との間に略同形で複数の装飾ブロック２・２…が数珠繋ぎに配置されている一方、前記弾性芯棒材４が前記ヒンジ部材１の通し孔１２および前記装飾ブロック２・２…の貫通孔２１・２１…および前記耳鉉部材３のアンカー孔３１に刺通してこれらの部材を一体化すると共に、
これらの部材間に該当する、ヒンジ部材１の持出端面、および装飾ブロック２の対向側面、および耳鉉部材３の基端面には、テンプル折り畳み方向に摺接するナックル凸面５１および凹受面５２とから成る関節部５が形成されていることを特徴とする眼鏡の弾性テンプル。
【請求項２】
弾性芯棒材４が撓曲すると、関節部５のナックル凸部５１の肩縁５１ａが凹受部５２の端縁５２ａに衝止することにより当該弾性芯棒材４の過曲を防止できることを特徴とする請求項１記載の眼鏡の弾性テンプル。
【請求項３】
耳鉉部材３においてアンカー孔３１・３１間を横切って止着孔３２が開設されている一方、ヒンジ部材１の通し孔１２および装飾ブロック２の貫通孔２１および耳鉉部材３のアンカー孔３１がそれぞれ複数開設されており、
これらの孔にそれぞれ弾性芯棒材４が刺通して前記アンカー孔３１に弾性芯棒材４の終端部が挿入された状態で、前記止着孔３２にカシメ部材６を差し込んで前記弾性芯棒材４・４を止着固定したことを特徴とする請求項１または２記載の眼鏡の弾性テンプル。
【請求項４】
耳鉉部材３においてアンカー孔３１・３１間を横切って止着孔３２が開設されている一方、ヒンジ部材１の通し孔１２および装飾ブロック２の貫通孔２１および耳鉉部材３のアンカー孔３１がそれぞれ複数開設されており、
これらの孔にそれぞれ弾性芯棒材４が刺通して前記アンカー孔３１に弾性芯棒材４の終端部が挿入された状態で、前記止着孔３２に硬化性樹脂が充填されて前記弾性芯棒材４・４を止着固定したことを特徴とする請求項１〜３の何れか一つに記載の眼鏡の弾性テンプル。
【請求項５】
弾性芯棒材４がニッケル・チタン系合金材料またはチタン材料、チタン合金材料などの超弾性合金材料で作製されていることを特徴とする請求項１〜４の何れか一つに記載の眼鏡の弾性テンプル。
【発明の詳細な説明】
【０００１】
【発明の属する技術分野】
本発明は、眼鏡テンプルの改良、更に詳しくは、簡単な構成でテンプルに弾性衝撃吸収による耐久性を付与することができ、しかも、装飾性にも優れた眼鏡の弾性テンプルに関するものである。
【０００２】
【従来の技術】
眼鏡を脱着しようとする際、不可避的にテンプルの自由端側が外側に無理に拡開される傾向があり、それが原因となって当該テンプルの基端部分に大きな力が加わり、眼鏡フレームの故障や変形が起こり易かった。
【０００３】
従来、このような弊害を除去するための提案としては、フロント枠とテンプルとをヒンジ連結する蝶番の一方の蝶番駒部品を、テンプル基端部に内装したコイルバネにより弾性的に進退動可能に構成した所謂「バネ蝶番」が存在する（例えば、特許文献１参照）。
【０００４】
しかし、このバネ蝶番は、概して構造が複雑であり、しかもその構成部品が微小であるので、頻繁なテンプル開閉操作によって構成する各部品が摩耗し、直ぐにこの外側拡開動作が甘くなっていまうという不満がある。一方、眼鏡はお洒落のアイテムとしても重用されていることから、機能性だけでなく、外見上の装飾性も非常に重要である。
【０００５】
【特許文献１】
特開２００２−７２１３５  号公報  （第３−４頁、第２−３図）
【０００６】
【発明が解決しようとする課題】
本発明は、眼鏡テンプルに上記のような問題があったことに鑑みて為されたものであり、その目的とするところは、簡単な構成でテンプルに弾性衝撃吸収による耐久性を付与することができ、しかも、装飾性にも優れた眼鏡の弾性テンプルを提供することにある。
【０００７】
【課題を解決するための手段】
本発明者が上記課題を解決するために採用した手段を添付図面を参照して説明すれば次のとおりである。
【０００８】
即ち、本発明は、眼鏡フロントの左右両側に配設されたエンドピースＥの持出端部の枢軸Ｓに折り畳み自在にヒンジ連結されるテンプルであって、
前記枢軸Ｓに連結されるヒンジ部１１を備え、かつ、通し孔１２が開設されたヒンジ部材１と；貫通孔２１が形成された装飾ブロック２と；基端側にアンカー孔３１が開設された耳鉉部材３と；弾性芯棒材４とを具備して構成されており、
前記ヒンジ部材１と耳鉉部材３との間に略同形で複数の装飾ブロック２・２…が数珠繋ぎに配置されている一方、前記弾性芯棒材４が前記ヒンジ部材１の通し孔１２および前記装飾ブロック２・２…の貫通孔２１・２１…および前記耳鉉部材３のアンカー孔３１に刺通してこれらの部材を一体化すると共に、
これらの部材間に該当する、ヒンジ部材１の持出端面、および装飾ブロック２の対向側面、および耳鉉部材３の基端面には、テンプル折り畳み方向に摺接するナックル凸面５１および凹受面５２とから成る関節部５を形成するという技術的手段を採用した。
【０００９】
また、本発明は、上記課題を解決するために、必要に応じて上記手段に加え、弾性芯棒材４が撓曲すると、関節部５のナックル凸部５１の肩縁５１ａが凹受部５２の端縁５２ａに衝止することにより当該弾性芯棒材４の過曲を防止できるようにするという技術的手段を採用した。
【００１０】
更にまた、本発明は、上記課題を解決するために、必要に応じて上記手段に加え、耳鉉部材３においてアンカー孔３１・３１間を横切って止着孔３２が開設されている一方、ヒンジ部材１の通し孔１２および装飾ブロック２の貫通孔２１および耳鉉部材３のアンカー孔３１がそれぞれ複数開設されており、
これらの孔にそれぞれ弾性芯棒材４が刺通して前記アンカー孔３１に弾性芯棒材４の終端部が挿入された状態で、前記止着孔３２にカシメ部材６を差し込んで前記弾性芯棒材４・４を止着固定するという技術的手段を採用した。
【００１１】
更にまた、本発明は、上記課題を解決するために、必要に応じて上記手段に加え、耳鉉部材３においてアンカー孔３１・３１間を横切って止着孔３２が開設されている一方、ヒンジ部材１の通し孔１２および装飾ブロック２の貫通孔２１および耳鉉部材３のアンカー孔３１がそれぞれ複数開設されており、
これらの孔にそれぞれ弾性芯棒材４が刺通して前記アンカー孔３１に弾性芯棒材４の終端部が挿入された状態で、前記止着孔３２に硬化性樹脂が充填されて前記弾性芯棒材４・４を止着固定するという技術的手段を採用した。
【００１２】
更にまた、本発明は、上記課題を解決するために、必要に応じて上記手段に加え、弾性芯棒材４をニッケル・チタン系合金材料またはチタン材料、チタン合金材料などの超弾性合金材料で作製するという技術的手段を採用した。
【００１３】
【発明の実施の形態】
本発明の実施形態を具体的に図示した図面に基いて更に詳細に説明すると次のとおりである。
【００１４】
『第１実施形態』
本発明の第１実施形態を図１から図６に基いて説明する。図中、符号１で指示するものはヒンジ部材であり、このヒンジ部材１は前記枢軸Ｓに連結されるヒンジ部１１を備え、かつ、通し孔１２が開設されている。
【００１５】
また、符号２で指示するものは装飾ブロックであり、この装飾ブロック２には貫通孔２１が形成されている。そして、符号３で指示するものは耳鉉部材であり、この耳鉉部材３は基端側にアンカー孔３１が開設されている。また、符号４で指示するものは弾性芯棒材であり、弾性芯棒材４はニッケル・チタン系合金材料で作製されている。
【００１６】
しかして、本実施形態は、眼鏡フロントの左右両側に配設されたエンドピースＥの持出端部の枢軸Ｓに折り畳み自在にヒンジ連結されるテンプルであり、以下のように構成する。
【００１７】
まず、前記ヒンジ部材１と耳鉉部材３との間に略同形で複数の装飾ブロック２・２…（本実施形態では５個）を数珠繋ぎに配置し（図３参照）、前記弾性芯棒材４（本実施形態では平板状）が前記ヒンジ部材１の通し孔１２および前記装飾ブロック２・２…の貫通孔２１・２１…および前記耳鉉部材３のアンカー孔３１に刺通してこれらの部材を一体化する（図４参照）。
【００１８】
そして、これらの部材間に該当する、ヒンジ部材１の持出端面、および装飾ブロック２の対向側面、および耳鉉部材３の基端面には、テンプル折り畳み方向に摺接するナックル凸面５１および凹受面５２とから成る関節部５が形成されている。
【００１９】
この際、テンプルに大きな力がかかって、前記弾性芯棒材４が撓曲すると、ナックル凸部５１の肩縁５１ａが凹受部５２の端縁５２ａに衝止することにより当該弾性芯棒材４の過曲を防止できる（図５参照）。
【００２０】
なお、図６に示すように、関節部５のナックル凸面５１および凹受面５２の取付組み合わせが逆になるように設計を変更することが可能である。
【００２１】
『第２実施形態』
次に、本発明の第２実施形態を図７および図８に基いて説明する。本実施形態では、耳鉉部材３においてアンカー孔３１・３１間を横切って止着孔３２が開設されている一方、ヒンジ部材１の通し孔１２および装飾ブロック２の貫通孔２１および耳鉉部材３のアンカー孔３１がそれぞれ複数開設されている。
【００２２】
そして、これらの孔にそれぞれ弾性芯棒材４が刺通して前記アンカー孔３１に弾性芯棒材４の終端部が挿入された状態で、前記止着孔３２にカシメ部材６（本実施形態では、ビス）を差し込んで前記弾性芯棒材４・４を止着固定する。このように構成することによって、弾性芯棒材４の抜け落ちを防止して確実に固定することができる。
【００２３】
また、前記止着孔３２に硬化性樹脂を充填して前記弾性芯棒材４・４を止着固定することもでき、硬化性樹脂としては、エポキシ系接着剤やポリエステル系接着剤、ポリウレタン系接着剤などを採用することができ、当該止着孔３２内において硬化することによって確実に固定することができる。
【００２４】
本発明は概ね上記のように構成されるが、本発明は図示の実施形態に限定されるものでは決してなく、「特許請求の範囲」の記載内において種々の変更が可能であって、例えば、装飾ブロック２の数は必要に応じていくつにしても良く、また、表面に刻印や宝飾などの装飾処理を施すことができ、更に、材質や色合いを様々に組み合わせることによってＴＰＯに応じたバリエーション豊かなテンプルを構成することができる。
【００２５】
また、弾性芯棒材４は弾性を有するものであれば、β−チタンやチタン合金などの超弾性合金、あるいは弾性プラスチック、弾性ゴム、カーボン材などを採用することができるとともに、直棒状のものに限らず、コイルばね状に成形したものであっても良い。
【００２６】
更にまた、カシメ部材６はビスに限らず、リベットなどの止着具を採用しても良いし、硬化性樹脂を塗布してから差し込んで強固に止着することもでき、何れのものも本発明の技術的範囲に属する。
【００２７】
【発明の効果】
以上、実施形態をもって説明したとおり、本発明においては、弾性芯棒材が挿入されて、テンプルに弾性が付与されることにより衝撃を吸収でき、大きな力がかかって弾性芯棒材が撓曲したとしても、必要に応じて配設したナックル凸部の肩縁が凹受部の端縁に衝止することにより当該弾性芯棒材の過曲を防止することができる。
【００２８】
また、装飾ブロックの組み合わせによって、様々に変化に富んだテンプルを構成して装飾性をも付与することができることから、眼鏡における実用的利用価値は頗る高いものがある。
【図面の簡単な説明】
【図１】本発明の第１実施形態品の眼鏡を表わす全体上面図である。
【図２】本発明の第１実施形態品の眼鏡を表わす全体側面図である。
【図３】本発明の第１実施形態品を表わす分解斜視図である。
【図４】本発明の第１実施形態品を表わす斜視図である。
【図５】本発明の第１実施形態品を表わす説明上面図である。
【図６】本発明の第１実施形態品の変形例を表わす斜視図である。
【図７】本発明の第２実施形態品を表わす分解斜視図である。
【図８】本発明の第２実施形態品を表わす斜視図である。
【符号の説明】
１    ヒンジ部材
１１  ヒンジ部
１２  通し孔
２    装飾ブロック
２１  貫通孔
３    耳鉉部材
３１  アンカー孔
３２  止着孔
４    弾性芯棒材
５    関節部
５１  ナックル凸部
５１ａ  肩縁
５２  凹受部
５２ａ  端縁
６    カシメ部材
Ｅ  エンドピース
Ｓ  枢軸
【図１】
2004252026.tif 000003
【図２】
2004252026.tif 000004
【図３】
2004252026.tif 000005
【図４】
2004252026.tif 000006
【図５】
2004252026.tif 000007
【図６】
2004252026.tif 000008
【図７】
2004252026.tif 000009
【図８】
2004252026.tif 000010